(57)【要約】 【課題】  バッテリーポストへの組付作業の効率を向上させると共に、バッテリーポストに対し適正な力で締め付けることができるバッテリーターミナルを提供する。【解決手段】  弧状をなす電極保持部１３の両開口端縁から外方に向かって延設された一対の締付部１６を、ナット２１のねじ操作に伴うカム作用により互いに接近する方向に変位させることで、電極保持部１３を縮径させてバッテリーポスト１１に固定するものであって、ねじ部材の変位速度を一定にした場合に、締付部１６の変位速度が連続的に遅くなるように構成されてなるバッテリーターミナル１０である。これにより、ねじ操作の終了直前においては、ナット２１のねじ込み量を微調整することが容易となるから、電極保持部１３をバッテリーポスト１１に対して適正な力で締め付け可能となる。【選択図】  図１
2006318706.tif 000002
【特許請求の範囲】
【請求項１】
バッテリーポストを取り囲むと共に弧状をなす電極保持部と、この電極保持部の両開口端から外方に向けて相対向して延設される一対の締付部と、両締付部のうちの少なくとも一方に係合可能とされると共に前記バッテリーポストの軸線方向にのみ変位可能とされたねじ部材とを備えてなり、
前記ねじ部材のねじ操作に伴うカム作用に基づいて前記両締付部を互いに接近する方向に変位させ、その変位動作により前記電極保持部を縮径変形させるバッテリーターミナルにおいて、
一定の変位速度でねじ部材のねじ操作を行った場合に、前記両締付部の変位速度が、連続的又は断続的に遅くなる構成としたことを特徴とするバッテリーターミナル。
【請求項２】
前記両締付部のうちの一方における前記軸線方向の両端縁には一対の挟み付け片が他方側に向けて相対向して突設され、前記両挟み付け片の先端部の外面には前記ねじ部材が係合可能とされ、かつ、前記両挟み付け片の中間部の内面には前記他方の締付部における前記軸線方向の両端縁が内接可能とされ、
前記ねじ部材のねじ操作に伴って前記両挟み付け片の先端部同士を互いに接近させることにより、前記両挟み付け片のうちの少なくとも一片の中間部の内面に連続して形成されたカム面に対し前記他方の締付部における対応する端縁を摺動させて、この他方の締付部を前記一方の締付部側に変位させることを特徴とする請求項１記載のバッテリーターミナル。
【請求項３】
前記ねじ部材は互いに螺合可能なナットとボルトとからなり、
前記両挟み付け片のうちの一片は可動側、他片は固定側とされており、
前記可動側の挟み付け片は、前記他方の締付部の変位動作の完了により前記電極保持部が前記バッテリーポストの外周面に密着した後、前記カム面と前記他方の締付部における対応する端縁との接点を支点として撓み変形し、その弾性反力によって前記ナットの雌ねじと前記ボルトの雄ねじとが互いに密着する方向に前記ナットを押し付けることを特徴とする請求項２記載のバッテリーターミナル。
【発明の詳細な説明】
【技術分野】
【０００１】
本発明は、バッテリーのバッテリーポストに取り付けられるバッテリーターミナルに関する。
【背景技術】
【０００２】
従来より、バッテリーの電極であるバッテリーポストに取り付けられるバッテリーターミナルとしては、特許文献１記載のものが知られている。このものは、バッテリーポストを取り囲むと共に弧状をなす電極保持部と、この電極保持部の両開口端縁から外方に延出された一対の締付部と、定位置においてバッテリーポストの軸線方向に沿ってねじ操作されるボルトと、ボルトのねじ操作に伴ってボルトの下端と摺接することで両締付部を互いに接近させる方向に変位させる一定勾配のカム面とを備えている。そして、バッテリーポストを電極保持部に挿入した状態でボルトをねじ込むと、カム作用が発揮されて両締付部同士が互いに接近するように変位し、この変位動作により電極保持部が縮径してバッテリーポストに固定されるようになっている。
【特許文献１】実開平７−３０４４６号公報
【発明の開示】
【発明が解決しようとする課題】
【０００３】
一般的にバッテリーポストは比較的軟らかい鉛製であるため、バッテリーターミナルを過度に締め付けることにより塑性変形を起こすことが懸念される。一方、バッテリーターミナルの締め付け力が弱いと、電極保持部とバッテリーターミナルとの電気的な接続が不安定になることが懸念される。
そこで、カム面の傾きを緩くすることにより、バッテリーポストが急激に締め付けられないようにし、かつバッテリーターミナルの締め付け力を適正値に調節することが考えられる。しかしこの手法によると、電極保持部をバッテリーポストに固定するまでのボルトのねじ込み量が多くなるため、バッテリーターミナルの固定作業の効率が低下するという問題点があった。
【０００４】
本発明は上記のような事情に基づいて完成されたものであって、バッテリーポストへの固定作業の効率を向上させると共に、バッテリーポストに対し適正な力で締め付けることができるバッテリーターミナルを提供することを目的とする。
【課題を解決するための手段】
【０００５】
上記の目的を達成するための手段として、請求項１の発明は、バッテリーポストを取り囲むと共に弧状をなす電極保持部と、この電極保持部の両開口端から外方に向けて相対向して延設される一対の締付部と、両締付部のうちの少なくとも一方に係合可能とされると共に前記バッテリーポストの軸線方向にのみ変位可能とされたねじ部材とを備えてなり、前記ねじ部材のねじ操作に伴うカム作用に基づいて前記両締付部を互いに接近する方向に変位させ、その変位動作により前記電極保持部を縮径変形させるバッテリーターミナルにおいて、一定の変位速度でねじ部材のねじ操作を行った場合に、前記両締付部の変位速度が、連続的又は断続的に遅くなる構成としたことを特徴とする。
【０００６】
請求項２の発明は、請求項１記載のものにおいて、前記両締付部のうちの一方における前記軸線方向の両端縁には一対の挟み付け片が他方側に向けて相対向して突設され、前記両挟み付け片の先端部の外面には前記ねじ部材が係合可能とされ、かつ、前記両挟み付け片の中間部の内面には前記他方の締付部における前記軸線方向の両端縁が内接可能とされ、前記ねじ部材のねじ操作に伴って前記両挟み付け片の先端部同士を互いに接近させることにより、前記両挟み付け片のうちの少なくとも一片の中間部の内面に連続して形成されたカム面に対し前記他方の締付部における対応する端縁を摺動させて、この他方の締付部を前記一方の締付部側に変位させることを特徴とする。
【０００７】
請求項３の発明は、請求項２記載のものにおいて、前記ねじ部材は互いに螺合可能なナットとボルトとからなり、前記両挟み付け片のうちの一片は可動側、他片は固定側とされており、前記可動側の挟み付け片は、前記他方の締付部の変位動作の完了により前記電極保持部が前記バッテリーポストの外周面に密着した後、前記カム面と前記他方の締付部における対応する端縁との接点を支点として撓み変形し、その弾性反力によって前記ナットの雌ねじと前記ボルトの雄ねじとが互いに密着する方向に前記ナットを押し付けることを特徴とする。
【発明の効果】
【０００８】
＜請求項１の発明＞
請求項１の発明によれば、一定の変位速度でねじ部材のねじ操作を行った場合に、両締付部が互いに接近する方向への変位速度が、連続的又は断続的に遅くなるように構成されている。これにより、ねじ操作の初期状態においては、締付部を比較的速く変位させることができるから、バッテリーターミナルの固定作業の効率を向上させることができる。
【０００９】
一方、ねじ操作の終了直前においては、締付部の変位速度はねじ操作の初期状態よりも遅くなっているから、バッテリーポストに対する電極保持部の締め付け力を適正なものとするためにねじ部材のねじ操作を微調整することが容易となる。これにより、電極保持部がバッテリーポストを適正な力で締め付けるようになる。
【００１０】
＜請求項２の発明＞
請求項１の発明において、ねじ部材の変位速度を一定にした場合に、締付部の変位速度を遅くするためには、例えば傾きの異なった複数の斜面によりカム面を構成することが考えられるが、この手法によると、カム面の傾きが変わるところで締付部の変位速度が急激に遅くなるため、ねじ部材のねじ操作を円滑に行いにくくなる虞がある。
【００１１】
この点を鑑み請求項２の発明においては、ねじ部材の操作に伴って両挟み付け片の先端部同士を互いに接近させることにより、両挟み付け片のうちの少なくとも一片の中間部の内面に連続して形成されたカム面に対し他方の締付部における対応する端縁を摺動させ、この他方の締付部を一方の締付部側に変位させる構成としたから、カム面に対する他方の締付部における対応する端縁の接触角度を連続的に変化させることができる。これにより締付部の変位速度を連続的に遅くすることができるから、ねじ部材のねじ操作を円滑に行うことができる。
【００１２】
＜請求項３の発明＞
請求項３の発明によれば、可動側の挟み付け片は、他方の締付部の変位動作の完了により電極保持部がバッテリーポストの外周部に密着した後、カム面と他方の締付部における対応する端縁との接点を支点として撓み変形し、その弾性反力によってナットの雌めじとボルトの雄ねじとが互いに密着する方向にナットを押し付けるようになっている。この結果、ナットに対して可動側の挟み付け片の先端部から直接的に、又はボルトを介して間接的に、ナットのねじ込み方向と反対方向に反力が働くから、ナットの抜け止めを行うことができ、不用意にナットが緩んで抜け方向に回転する事態を回避できる。
【発明を実施するための最良の形態】
【００１３】
＜実施形態１＞
本発明の実施形態１を図１ないし図５を参照しつつ説明する。本実施形態に係るバッテリーターミナル１０は、自動車等に搭載されるバッテリー３２の電極であるバッテリーポスト１１に電線（図示せず）を接続するためのものであって、電線と接続される電線接続部１２と、この電線接続部１２に連なってバッテリーポスト１１に固定される電極保持部１３とを備えてなる。このバッテリーポスト１１は軸線を上下方向に向けた略円柱状をなしており、詳細には、図２に示すように、上端に向けて次第に径の小さくなったテーパー状の側面を有する。
【００１４】
上記の電線接続部１２は、電極保持部１３よりも高さの低い箱型をなし、図２における上方に突出するスタッドボルト１９を備えてなる。このスタッドボルト１９には、電線の端末に接続された端子金具（図示せず）が嵌めこまれた後、図示しないナットで固定されて、電線と電線接続部１２とが電気的に接続されるようになっている。
【００１５】
図２における電線接続部１２の左方には、電極保持部１３が連設されている。電極保持部１３は、金属製の板材を曲げ形成して構成されており、バッテリーポスト１１の外周を取り囲むように弧状に回曲して形成されている。この電極保持部１３は半径方向内方に縮径可能とされており、自然状態においては、電極保持部１３はバッテリーポスト１１の外周面に対して遊挿状態で配置されている。この電極保持部１３には、図３における左方に開口する開口部１５が形成されており、この開口部１５を挟んだ両開口端縁からは、互いに対向する一対の締付部１６Ａ，１６Ｂが左方（電線接続部１２側と反対方向）に延設されている。
【００１６】
両締付部１６Ａ，１６Ｂのうち、図１における右側に位置する一方の締付部１６Ａには、その上端縁及び下端縁（バッテリーポスト１１の軸線方向側の両端縁）から、図１における左側に位置する他方の締付部１６Ｂ側に向けて延びる一対の挟み付け片１７Ａ，１７Ｂが互いに対向して形成されている。一方の締付部１６Ａと両挟み付け片１７Ａ，１７Ｂとは全体としてクリップ状をなしている。そして、一方の締付部１６Ａ及び両挟み付け片１７Ａ，１７Ｂによって囲まれる空間内には他方の締付部１６Ｂが縦向きの姿勢で配されており、他方の締付部１６Ｂの上端縁及び下端縁（バッテリーポスト１１の軸線方向の両端縁）は、一対の挟み付け片１７Ａ，１７Ｂに内接して上下方向から挟み付けられるようになっている。
【００１７】
他方の締付部１６Ｂの上端部は切り欠かれており、これにより他方の締付部１６Ｂの上下方向の高さ寸法は一方の締付部１６Ａの上下方向の高さ寸法よりも小さくなっている。他方の締付部１６Ｂの下端縁は、図１における右方に曲げ形成された後、左斜め上方に更に曲げ形成されており、図１における下側の挟み付け片１７Ｂに上方から当接して、下側の挟み付け片１７Ｂとの摺動を滑らかに行うための摺接部１８とされる。また、上述したように、他方の締付部１６Ｂの上端縁は、図１における上側の挟み付け片１７Ａに下方から当接している。
【００１８】
さて、一対の挟み付け片１７Ａ，１７Ｂの先端部にはそれぞれ挿通孔（図示せず）が形成されており、この両挿通孔内にボルト１９（本発明に係るねじ部材に相当）が下方から挿通されて、上下方向（バッテリーポスト１１の軸線方向）に貫通している。上側の挟み付け片１７Ａの挿通孔を貫通したボルト１９の先端には、ワッシャ２０を介装した状態でナット２１（本発明に係るねじ部材に相当）が螺合されている。このボルト１９の頭部は方形状をなしており、また、ワッシャ２０も方形状をなしている。
【００１９】
上側の挟み付け片１７Ａの先端縁は図１における上方に略直角曲げされてフランジ２２が形成されており、また、下側の挟み付け片１７Ｂの先端縁は下方に略直角曲げされてフランジ２２が形成されている。これにより、ボルト１９の方形状をなす頭部と、方形状をなすワッシャ２０の一辺が全幅に亘ってフランジ２２と当接することで、ボルト１９及びワッシャ２０が回り止めされた状態となっている。
【００２０】
上記の両挟み付け片１７Ａ，１７Ｂのうち、図１における上側の挟み付け片１７Ａは、可動側の挟み付け片１７Ａとして構成され、ボルト１９に対してナット２１を締め付けると（ねじ操作すると）、下方に変位するようになっている。そして、この変位により上側の挟み付け片１７Ａは、その基端部（一方の締付部１６Ａと上側の挟み付け片１７Ａとの境界部分）を支点として、その先端部が下側の挟み付け片１７Ｂの先端部側に傾倒し、両挟み付け片１７Ａ，１７Ｂが互いに接近するようになっている。可動側の挟み付け片１７Ａの下面（内面）には、その中間部に、他方の締付部１６Ｂの上端縁に上方から当接して、他方の締付部１６Ｂを挟み付ける力を両締付部１６Ａ，１６Ｂが互いに接近する方向に変換するカム面２３が形成されている。
【００２１】
一方、図１における下側の挟み付け片１７Ｂは、固定側の挟み付け片１７Ｂとして構成され、ナット２１を締め付けても上下方向には変位しないよう定位置に保たれている。
【００２２】
ここで、上記のナット２１を締め付けてねじ操作をすると、可動側の挟み付け片１７Ａが下方に変位して、カム面２３が他方の締付部１６Ｂの上端縁に上方から当接し、他方の締付部１６Ｂの上下両端縁が、両挟み付け片１７Ａ，１７Ｂの中間部により上下方向から挟み付けられる。すると、他方の締付部１６Ｂを上下方向から挟み付ける力が、カム面２３により締付部１６Ａ，１６Ｂ同士が互いに接近する方向の力に変換されて、他方の締付部１６Ｂの上端縁がカム面２３に沿って右方に変位し、これにより締付部１６Ａ，１６Ｂ同士が互いに接近する。すると、両締付部１６Ａ，１６Ｂに連なる電極保持部１３が半径方向内方に縮径し、バッテリーポスト１１に装着されるようになっている。
【００２３】
上記の可動側の挟み付け片１７Ａは、その基端部を支点として、その先端部が固定側の挟み付け片１７Ｂの先端部側に傾倒するようになっている。したがって、他方の締付部１６Ｂの上端縁とカム面２３とのなす接触角度で、かつ他方の締付部１６Ｂの変位方向側の角度は、ねじ操作が進行するにつれて次第に大きくなるようになっている。これにより、ナット２１の変位速度を一定とした場合に、他方の締付部１６Ｂの変位速度は、ナット２１のねじ操作の初期状態においては比較的速く、ねじ操作が進行するにつれて次第に遅くなり、電極保持部１３がバッテリーポスト１１に密着する状態に近いところでは比較的遅くなるように構成されている。
【００２４】
また、可動側の挟み付け片１７Ａは撓み変形可能となっており、電極保持部１３がバッテリーポスト１１の外周部に密着した状態においては、カム面２３と他方の締付部１６Ｂとの接点を支点として、ナット２１のねじ込み方向と反対方向に反力を持って撓み変形するようになっている。
【００２５】
続いて、本実施形態の作用効果について説明する。まず、両挟み付け片１７Ａ，１７Ｂに形成された挿通孔に下方からボルト１９を貫通させ、固定側の挟み付け片１７Ｂの下面にボルト１９の頭部を固着させる。そして、可動側の挟み付け片１７Ａの挿通孔を貫通したボルト１９の先端にワッシャ２０を介装した状態でナット２１を上方から螺合する。このときナット２１は、電極保持部１３がバッテリーポスト１１に対して遊挿状態となる程度に螺合しておく。
【００２６】
次に、バッテリーポスト１１に対し、上方から電極保持部１３を挿入する。続いて、ナット２１を締め付ける。すると、ナット２１の下面がワッシャ２０を介して可動側の挟み付け片１７Ａの先端部を下方に押圧することにより、可動側の挟み付け片１７Ａは、その基端部を支点として、可動側の挟み付け片１７Ａの先端部を固定側の挟み付け片１７Ｂの先端部側に接近させる方向に傾倒する。この傾倒動作により、可動側の挟み付け片１７Ａと固定側の挟み付け片１７Ｂとに他方の締付部１６Ｂの上下両端縁が挟み付けられた状態で、可動側の挟み付け片１７Ａのカム面２３と他方の締付部１６Ｂの上端縁とが摺動し、かつ、他方の締付部１６Ｂの摺接部１８と固定側の挟み付け片１７Ｂの上面とが滑らかに摺動して、他方の締付部１６Ｂが一方の締付部１６Ａ側に変位し、もって電極保持部１３が半径方向内方に縮径する。
【００２７】
ナット２１をねじ込んでいくと、可動側の挟み付け片１７Ａが傾倒する変位量が大きくなり、これに伴って他方の締付部１６Ｂの上端縁とカム面２３との接触角度のうち、他方の締付部１６Ｂの変位方向（一方の締付部１６Ａ側）の角度が、次第に大きくなる。したがって、ナット２１を一定の変位速度でねじ操作した場合には、他方の締付部１６Ｂの変位速度が次第に遅くなる。
【００２８】
このように本実施形態によれば、ナット２１のねじ操作の初期状態においては、他方の締付部１６Ｂの変位速度は比較的速いから、電極保持部１３の締め付け操作を効率良く行うことができる。一方、電極保持部１３が縮径変形し、バッテリーポスト１１に密着する直前の状態においては、他方の締付部１６Ｂの変位速度は比較的遅くなっている。これにより、ナット２１のねじ操作を微調整することが容易となるから、電極保持部１３をバッテリーポスト１１に対して適正な力で締め付けることができる。
【００２９】
さらに、可動側の挟み付け片１７Ａは、その基端部を支点として傾倒する構成としたから、可動側の挟み付け片１７Ａに形成されたカム面２３と、他方の締付部１６Ｂの上端縁とのなす接触角度のうち他方の締付部１６Ｂの変位方向側の角度は連続的に大きくなるようになっている。したがって、他方の締付部１６Ｂの変位速度が連続的に遅くなり、結果、他方の締付部１６Ｂの変位速度が断続的に変化する場合に比べて、ナット２１のねじ操作を円滑に行うことができる。
【００３０】
そして、ナット２１のねじ込み量が増すにつれ、電極保持部１３がバッテリーポスト１１に密着して適正な力で締め付けられ、電極保持部１３がバッテリーポスト１１に固定される。これにより、バッテリーポスト１１が損傷する事態を防止できる。
【００３１】
電極保持部１３がバッテリーポスト１１に密着した状態でナット２１をねじ込むと、可動側の挟み付け片１７Ａは、カム面２３と他方の締付部１６Ｂの上端縁との接点を支点として、ナット２１のねじ込み方向と反対側に反力をもって撓み変形し、その弾性反力によってナット２１の雌めじとボルト１９の雄ねじとが互いに密着する方向にナット２１が押し付けられる。すなわち、ナット２１にはそのねじ込み方向と反対方向の力が作用するから、ナット２１の抜け止めを図ることができ、不用意にナット２１が緩んで回転する事態を回避できる。また、可動側の挟み付け片１７Ａが撓み変形することで、締付部１６Ａ，１６Ｂ同士が接近する方向に変位することを防止できるから、電極保持部１３を過度の力で締め付けることを防止できる。
【００３２】
＜実施形態２＞
次に、本発明の実施形態２を図６ないし図７を参照しつつ説明する。一対の締付部１６Ａ，１６Ｂのうち、図６における右側に位置する一方の締付部１６Ａには、この一方の締付部１６Ａの上端縁から斜め下方へ延出されて傾斜板２６が形成されていると共に、一方の締付部１６Ａの下端縁から右方に水平に延出されて脚部２７が形成されている。この脚部２７の右端縁は上方に曲げ形成された後、さらに左方に曲げ形成されて、上述の傾斜板２６の下端縁が挟持されている。なお、バッテリー３２への装着時には脚部２７の下面がバッテリー３２の上面に接するようになっている。
【００３３】
一方、図６における左側に位置する他方の締付部１６Ｂの上端は右方かつ水平に折り曲げられてボルト受片２４が張り出し形成されている。このボルト受片２４にはねじ孔２５が貫通しているとともに、ここには上方からボルト１９がねじ込んである。
【００３４】
上記の傾斜板２６の上面はボルト１９の締め込みに伴ってボルト１９と摺れ合うカム面２３となっている。 このカム面２３は、図６における略左半分が、傾きの比較的緩い緩斜面部２８とされ、略右半分が、略左半分に比べ、傾きの比較的急な急斜面部２９とされる。
【００３５】
バッテリー３２の上面には、ストッパ３０が設けられて、他方の締付部１６Ｂの外側面が当接するようになっており、ボルト１９を締め込んでいったときに、他方の締付部１６Ｂが連動して後退しないようにしてある。
【００３６】
次に、実施形態２に係るバッテリーターミナル１０をバッテリーポスト１１に締め付ける場合について説明する。ボルト１９をねじ孔２５に締め込んでいくと、図６に示すように、ボルト１９の下端が、カム面２３の緩斜面部２８を押動する。このとき、傾斜板２６は、カム面２３に作用する押圧力の水平分力により図６に示す左方向へ変位させられる。このため、傾斜板２６を有する側の一方の締付部１６Ａが、対向する他方の締付部１６Ｂ側へ接近し、その結果、電極保持部１３の内径が縮小する。このとき、緩斜面部２８の傾きは比較的緩く設定されているから、カム面２３を押すボルト１９の押圧力の大部分は、両締付部１６Ａ，１６Ｂを互いに接近させる方向の力に変換されて、一方の締付部１６Ａは、比較的速い変位速度で、他方の締付部１６Ｂに接近する。これにより、電極保持部１３は比較的速い速度で半径方向内方に縮径するから、バッテリーターミナル１０のバッテリーポスト１１への固定作業を効率よく行うことができる。
【００３７】
さらにボルト１９を締め込んでいくと、カム面２３を有する一方の締付部１６Ａが左方に変位し、図７に示すように、ボルト１９の下端が、カム面２３の急斜面部２９を押す。このとき、ボルト１９の下端が緩斜面部２８と接触する場合に比べて、両カム面２３を押すボルト１９の押圧力は締付部１６Ａ，１６Ｂを互いに接近させる方向には変換されず、カム面２３を有する一方の締付部１６Ａは、比較的遅い変位速度で、他方の締付部１６Ｂに接近する。これにより、作業者は、ボルト１９のねじ込み操作を容易に微調整することにより、バッテリーポスト１１に対して電極保持部１３を適正な力で固定することができる。
【００３８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３９】
（１）実施形態１においては、図１の上側の挟み付け片１７Ａを可動側とし、下側の挟み付け片１７Ｂを固定側としたが、これに限られず、図１の上側の挟み付け片１７Ａを固定側とし、下側の挟み付け片１７Ｂを可動側としてもよく、また、図１の双方の挟み付け片１７Ａ，１７Ｂが可動する構成としてもよい。
【００４０】
（２）実施形態１においては、図１の上側の挟み付け片１７Ａにナット２１を配設し、下側の挟み付け片１７Ｂにボルト１９を配設する構成としたが、これに限られず、ボルト１９の頭部の形状を六角形状としたり、ボルト１９の頭部にプラス溝又はマイナス溝が形成されているなど、締め付け操作可能なボルト１９を用いる場合には、図１の上側の可動側の挟み付け片１７Ａにボルト１９を配設し、下側の挟み付け片１７Ｂにナット２１を配設する構成としてもよい。
【００４１】
（３）実施形態２においては、カム面２３は、緩斜面部２８と、急斜面部２９とを備える構成としたが、これに限られず、３つ以上の傾斜の異なる斜面から構成されていてもよく、また、カム面２３は、連続的に傾斜の変化する曲面により構成されてもよい。
【図面の簡単な説明】
【００４２】
【図１】本発明の実施形態１に係るバッテリーターミナルにおいて、締め付け前の状態を示す正面図
【図２】同じくバッテリーターミナルの側面図
【図３】同じくバッテリーターミナルの平面図
【図４】同じくバッテリーターミナルにおいて、締め付け途中の状態を示す正面図
【図５】同じくバッテリーターミナルにおいて、締め付け後の状態を示す正面図
【図６】本発明の実施形態２にかかるバッテリーターミナルの締め付け前の状態を示す断面図
【図７】同じくバッテリーターミナルの締め付け後の状態を示す断面図
【符号の説明】
【００４３】
１０…バッテリーターミナル
１１…バッテリーポスト
１３…電極保持部
１６Ａ…一方の締付部
１６Ｂ…他方の締付部
１７Ａ…可動側の挟み付け片
１７Ｂ…固定側の挟み付け片
１９…ボルト（ねじ部材）
２１…ナット（ねじ部材）
２３…カム面
【図１】
2006318706.tif 000003
【図２】
2006318706.tif 000004
【図３】
2006318706.tif 000005
【図４】
2006318706.tif 000006
【図５】
2006318706.tif 000007
【図６】
2006318706.tif 000008
【図７】
2006318706.tif 000009